(57)【要約】【課題】頭額部の頭皮にマッサージを行う頭額部マッサージ具と、高周波発生用のビーム筒に嵌合する櫛型ガラス管からなる整髪マッサージ具を具備することによって、頭額部および頭髪のマッサージを随時手軽に行えるようにし、頭額部の頭皮の上下方向のマッサージと、整髪により頭髪に刺激を与えることにより、頭部におけるマッサージの相乗効果を果たす器具を提供する。【解決手段】高周波発生用のビーム筒に嵌合する櫛型ガラス管からなる整髪マッサージ具と、外被帯によって密封するように覆われた空気が出入する内袋を、頭額部周囲に巻き付け、マッサージを施すエアーヘッドベルトからなる頭額部マッサージ具を具備することを特徴とする頭部マッサージ器。【選択図】　　図１
2004113756.tif 000002
【特許請求の範囲】
【請求項１】
高周波発生用のビーム筒に嵌合する櫛型ガラス管からなる整髪マッサージ具と、外被帯によって密封するように覆われた空気が出入する内袋を、頭額部周囲に巻き付け、マッサージを施すエアーヘッドベルトからなる頭額部マッサージ具を具備することを特徴とする頭部マッサージ器。
【請求項２】
外被帯の両側部に顎部に当てるための帯片部を取り付けたことを特徴とする請求項１記載の頭部マッサージ器。
【発明の詳細な説明】
【産業上の利用分野】この発明は、頭髪および頭額部用の頭部マッサージ器に関するものである。
【０００１】
【従来の技術】従来、頭額部周囲の頭皮を空気袋体によって囲繞し、その空気袋体内に送り込み、排出する空気圧によって、頭額部の頭皮にマッサージを行う頭額部用空気マッサージ器が公知となっているが、空気袋体を持つこのような器具が、空気圧の影響でずれ易いことから、そのマッサージが効果的に行われないなど欠点が目立っている。そこにおいて本件出願人は、先に改良した頭額部空気圧マッサージ器として、特願平１１−１４７０２５号（特開平２０００−３００６３２）を出願している。
【０００２】
【発明が解決しようとする課題】この発明は頭額部の頭皮にマッサージを行う頭額部マッサージ具に加えて、高周波発生用のビーム筒に嵌合する櫛型ガラス管からなる整髪マッサージ具を具備することによって、頭額部および頭髪のマッサージを随時手軽に行えるようにしたもので、頭額部の頭皮の上下方向のマッサージと、整髪により頭髪に刺激を与えることにより、頭部におけるマッサージの相乗効果を果たす器具を提供することを目的とするものである。
【０００３】
【課題を解決するための手段】高周波発生用のビーム筒に嵌合する櫛型ガラス管からなる整髪マッサージ具と、外被帯によって密封するように覆われた空気が出入する内袋を、頭額部周囲に巻き付け、マッサージを施すエアーヘッドベルトからなる頭額部マッサージ具を具備することを特徴とする頭部マッサージ器、外被帯の両側部に顎部に当てるための帯片部を取り付けたことを特徴とする前記記載の頭部マッサージ器の構成とする。
【０００４】
【発明の実施の形態】まず初めに図１は、この発明の頭部マッサージ器（Ｍ）の構成をブロック図として示す図であり、後述のケース（３）内の機構、回路に着脱式に、エアーヘッドベルト（１）と、高周波発生回路（Ｋ）を持つビーム筒（９）に嵌合、結線する櫛型ガラス管（Ｇ）からなる整髪マッサージ具（２）とを備えており、それらはケース（３）内にある共通の電源スイッチ（Ｓ）から、機能切替スイッッチ（Ｋ）によって、それぞれエアーヘッドベルト（１）はエアー制御回路（Ｃ１）、エアーポンプ（Ｐ）、電磁弁（Ｖ）を介して作動し、一方、整髪マッサージ具（２）は高周波制御回路（Ｃ２）を経て、外部にある前記の高周波発生回路（Ｋ）、櫛型ガラス管（Ｇ）を有する整髪マッサージ具（２）が作動するようになっている。
【０００５】
図２は前記の構成を内蔵するケース（３）の外観図であり、図３はケース（３）の表面に施された操作パネル（４）である。そこには電源スイッチ（Ｓ）、機能切替スイッチ（Ｋ）、エアー用電源ボタン（５）、エアーソケット（６）、ビームソケット（６’）、ビームスタートボタン（７）、ビームコントロールつまみ（８）などが備えられ、ケース（３）内の回路、内部機構を通じて、エアーヘッドベルト（１）と整髪マッサージ具（２）が作動するようになっている。
【０００６】
図４（ａ）は外被帯によって密封するように覆われた空気が出入する内袋を、頭額部周囲に巻き付け、マッサージを施すエアーヘッドベルト（１）であり、帯片部（１’）、顎当て（１”）を有する。前述のケース（３）内のエアー制御回路（Ｃ１）を経て、エアーポンプ（Ｐ）より空気を電磁弁（Ｅ）を介してこのエアーヘッドベルト（１）に送気し、そして排気する。この際、エアーヘッドベルト（１）にはチューブプラグ受け（ｐ）が設けられている。図４（ｂ）はエアープラブ（ｐ１）とチューブプラグ（ｐ２）を備えたエアーホース（１０）である。図５（ａ）に示すように、エアーホース（１０）のエアープラブ（ｐ１）を、ケース（３）のエアーソケット（６）に插し込み、チューブプラグ（ｐ２）をエアーヘッドベルト（１）のチューブラグ受け（ｐ）に插し込んで連結する。
【０００７】
図５（ｂ）、図５（ｃ）に示すようにエアーヘッドベルト（１）を頭部に装着する。ここで空気の送入に伴いエアーヘッドベルト（１）は膨らんだ状態となり、このとき帯片部（１’）はその伸縮性によって上方に引っ張られ、空気の排出によってエアーヘッドベルト（１）が萎んだ状態となり、このとき帯片部（１’）は伸縮性により下方に引っ張られる。それによってエアーヘッドベルト（１）は締まったり、緩んだりして頭額部の頭皮の内外方向のマッサージを行うと同時に、頭額部の頭皮の上下方向のマッサージをも行うこととなる。また帯片部（１’）、顎当て（１”）によって、エアーヘッドベルト（１）を頭額部周囲によく固定することができ、使用中においてエアーヘッドベルト（１）が外れることを防止する。
【０００８】
図６（ａ）は整髪マッサージ具（２）を構成するビーム筒（９）であり、この中に前述の図１で示した高周波発生回路（Ｋ）が内蔵されている。図６（ｂ）は同じく整髪マッサージ具（２）を構成するガラス管（９’）を持つ櫛型ガラス管（Ｇ）であり、ビーム筒（９）の上部にガラス管（９’）［直径３ｍｍほどの数本のガラス管からなり、それらは真空構成で基部を通じてビーム筒（９）の高周波発生回路（Ｋ）に繋がり、使用時に放電し、その際、マイナスイオンの発生も伴う］を持つ櫛型ガラス管（Ｇ）を差込み軽く回して固定する。図６（ｃ）は差入れプラブ（ｐ３）と差込みプラグ（ｐ４）を備えたビーム用コード（１０’）である。図７（ａ）に示すようにこのビーム用コード（１０’）の差入れプラブ（ｐ３）をビーム筒（９）に差入れ、図７（ｂ）に示すように差込みプラグ（ｐ４）をケース（３）のビームソケット（６’）に差し込んで連結する。図７（ｃ）に示すように整髪マッサージ具（２）を頭髪にあてがい整髪する。この際、頭皮全体をブラッシングするようになすことによって、よく頭部をマッサージすることができる。そして前述のビームコントロールつまみ（８）を回して適度な強さに調整する。
【０００９】
【発明の効果】この発明の頭部マッサージ器は、頭額部の頭皮に空気圧によるマッサージを行う頭額部マッサージ具に加えて、高周波発生用のビーム筒に嵌合する櫛型ガラス管からなる高周波振動を利用した整髪マッサージ具を具備することによって、頭額部および頭髪のマッサージを随時手軽に効率的に行うことができる。それは空気圧による頭額部の頭皮のマッサージと、整髪により頭髪、頭皮に高周波振動による刺激を与えることにより、それらによって頭部における各種、異種のマッサージを施すことができ、それらの相乗効果を期待し、果たす器具となる。
【図面の簡単な説明】
【図１】この発明の各機構、回路の構成を示すブロック図。
【図２】この発明のケース部分の外観斜視図。
【図３】図２の操作パネルを示す図。
【図４】この発明の頭額部マッサージ具と関連器具を示す図。
【図５】この発明の頭額部マッサージ具の使用状況を説明する図。
【図６】この発明の整髪マッサージ具と関連器具を示す図。
【図７】この発明の整髪マッサージ具の使用状況を説明する図。
【符号の説明】
（Ａ）頭部マッサージ器
（１）エアーヘッドベルト
（２）整髪マッサージ具
（３）ケース
（４）操作パネル
（１’）帯片部
（１”）顎当て
（Ｓ）電源スイッチ
（Ｋ）機能切替えスイッチ
（Ｃ１）エアー制御回路
（Ｃ２）高周波制御回路
（Ｐ）エアーポンプ
（Ｖ）電磁弁
（Ｋ）高周波発生回路
（Ｇ）櫛型ガラス管
（９）ビーム筒
（９’）ガラス管
【図１】
2004113756.tif 000003
【図２】
2004113756.tif 000004
【図３】
2004113756.tif 000005
【図４】
2004113756.tif 000006
【図５】
2004113756.tif 000007
【図６】
2004113756.tif 000008
【図７】
2004113756.tif 000009